(57)【要約】【課題】バイオメトリクス情報に基づいて利用者を認証するシステムにおいて、認証情報の漏洩を防止する。【解決手段】個人認証システム１０に用いられる光情報記録媒体１２のホログラフィック記録部１３には、生体情報センサー１４で得られた利用者のバイオメトリクス情報に基づく記録用暗号化認証情報により空間光変調された参照光と物体光の干渉によるホログラムが形成されていて、認証時には、利用者から直接取得されたバイオメトリクス情報を、情報処理装置１６により照合用暗号化認証情報とし、ホログラム再生用参照光を該照合用暗号化認証情報により、空間光変調器２０によって変調し、再生画像の正否を検出する。【選択図】図１
2005222151.tif 000002
【特許請求の範囲】
【請求項１】
ホログラフィック記録部を有する光情報記録媒体の該ホログラフィック記録部に、記録すべき情報に応じて空間光変調された物体光及び参照光を照射して、その干渉縞により情報を記録し、且つ、該干渉縞に再生用参照光を照射して物体光を再生することにより、利用者の認証をするための個人認証方法であって、
前記情報の記録の際に、前記利用者のバイオメトリクス情報に基づく記録用暗号化認証情報により、前記参照光を空間光変調し、再生時には、前記利用者から直接取得したバイオメトリクス情報に基づく照合用暗号化認証情報により、前記再生用参照光を空間光変調することを特徴とする個人認証方法。
【請求項２】
請求項１において、
前記バイオメトリクス情報を予め決められた符号化方式により画像化することによって、前記記録用暗号化認証情報及び照合用暗号化認証情報を形成し、この画像を、参照光及び再生用参照光の変調パターンとすることを特徴とする個人認証方法。
【請求項３】
請求項２において、
前記符号化方式は、バイオメトリクス情報を表示するオリジナル画像を、複数、且つ、同数の画素からなる複数の画素ブロックに分割し、且つ、各画素ブロックにおけるＯＮ画素又はＯＦＦ画素の数を検出する過程と、
前記各画素ブロックにおける画素を、前記検出された数に応じて、ＯＮ画素又はＯＦＦ画素の数毎に予め設定された変換用画素パターンに変換し、前記記録用暗号化認証情報及び照合用暗号化認証情報を表わすビットマップ画像とする過程と、
からなることを特徴とする個人認証方法。
【請求項４】
請求項３において、
前記画素ブロックを、６以上の偶数個の画素から構成し、前記変換用画素パターンは、ＯＮ画素とＯＦＦ画素が同数となるように設定されたことを特徴とする個人認証方法。
【請求項５】
請求項１乃至４のいずれかにおいて、
前記参照光及び再生用参照光を位相空間光変調することを特徴とする個人認証方法。
【請求項６】
ホログラフィック記録部を有してなり、該ホログラフィック記録部には、利用者のバイオメトリクス情報に基づく記録用暗号化認証情報により空間光変調された参照光及び記録すべき情報に応じて空間光変調された物体光の照射時の干渉縞によるホログラムが形成されている光情報記録媒体と、
前記利用者から直接に、バイオメトリクス情報を取得可能とされた生体情報センサーと、
この生体情報センサーにより取得されたバイオメトリクス情報を照合用暗号化認証情報とする情報処理装置と、
記録時における参照光と同様の再生用参照光を前記ホログラフィック記録部に照射して、発生する回折光から、前記記録された情報を再生する再生光学系と、
前記再生用参照光を、前記照合用暗号化認証情報により変調する空間光変調器と、
前記再生光学系により再生された前記情報に基づいて、前記利用者が正しいか否かを照合すると共に、照合結果により利用者を許容又は拒絶する信号を出力する演算装置と、
を有してなる個人認証システム。
【請求項７】
請求項６において、
前記演算装置からの許容又は拒絶の信号により、利用者を許容又は拒絶するハードウェアを有してなることを特徴とする個人認証システム。
【請求項８】
請求項６又は７において、
前記生体情報センサーと、情報処理装置と、再生光学系と、空間光変調器と、をクライアントサーバ側に設けると共に、前記演算装置をホストサーバ側に設け、これらクライアントサーバ及びホストサーバを回線により接続し、クライアントサーバからは、前記再生された個人認証情報を出力し、ホストサーバからは、前記許容又は拒絶の信号を出力するようにされたことを特徴とする個人認証システム。
【請求項９】
請求項６乃至８のいずれかにおいて、
前記記録用暗号化情報及び前記照合用暗号化情報は、前記バイオメトリクス情報を、予め決められた符号化方式により画像化してなる変調パターンであることを特徴とする個人認証システム。
【請求項１０】
請求項９において、
前記記録用暗号化情報及び前記照合用暗号化情報は、前記バイオメトリクス情報を表示するオリジナル画像を、複数、且つ、同数の画素からなる複数の画素ブロックに分割し、各画素ブロックにおけるＯＮ画素又はＯＦＦ画素の数を検出し、前記画素ブロック毎に、前記検出された数に応じて、ＯＮ画素又はＯＦＦ画素の数毎に予め設定された変換用画素パターンに変換して形成されたビットマップ画像であることを特徴とする個人認証システム。
【請求項１１】
請求項１０において、
前記画素ブロックを、６以上の偶数個の画素から構成し、前記変換用画素パターンは、ＯＮ画素とＯＦＦ画素が同数となるように設定されたことを特徴とする個人認証システム。
【請求項１２】
請求項６乃至１１のいずれかにおいて、
前記ホログラムは、物体光と位相空間光変調された参照光との干渉縞であることを特徴とする個人認証システム。
【請求項１３】
ホログラフィック記録部を有してなり、該ホログラフィック記録部には、利用者のバイオメトリクス情報に基づく記録用暗号化認証情報により空間光変調された参照光及び記録すべき情報に基づいて空間光変調された物体光の照射時の干渉縞によるホログラムが形成されていることを特徴とする光情報記録媒体。
【請求項１４】
請求項１３において、
前記記録用暗号化情報は、前記バイオメトリクス情報を、予め決められた符号化方式により画像化してなる変調パターンであることを特徴とする光情報記録媒体。
【請求項１５】
請求項１４において、
前記記録用暗号化情報は、前記バイオメトリクス情報を表示するオリジナル画像を、複数、且つ、同数の画素からなる複数の画素ブロックに分割し、各画素ブロックにおけるＯＮ画素又はＯＦＦ画素の数を検出し、
前記画素ブロック毎に、前記検出された数に応じて、ＯＮ画素又はＯＦＦ画素の数毎に予め設定された変換用画素パターンに変換して形成されたビットマップ画像であることを特徴とする光情報記録媒体。
【請求項１６】
請求項１５において、
前記画素ブロックを、６以上の偶数個の画素から構成し、前記変換用画素パターンは、ＯＮ画素とＯＦＦ画素が同数となるように設定されたことを特徴とする光情報記録媒体。
【請求項１７】
請求項１３乃至１６のいずれかにおいて、
前記ホログラムは、物体光と位相空間光変調された参照光との干渉縞であることを特徴とする光情報記録媒体。
【発明の詳細な説明】
【技術分野】
【０００１】
この発明は、個人認証情報がホログラムとして記録された光情報記録媒体、この光情報記録媒体を用いた個人認証方法及び個人認証システムに関する。
【背景技術】
【０００２】
クレジットカードや銀行のキャッシュカード等を利用するシステムでは、カードに記載された会員番号、氏名、所属等の身分証明（ＩＤ）情報からカードの所有者（利用者）を識別すると共に、カード読取端末の操作者（使用者）が入力する暗証番号又はパスワードによって該使用者がカード所有者本人であるかどうかの確認、即ち認証作業が行なわれている。
【０００３】
一方、近年の情報技術の発達によって、システム開発者のみならず、これを悪用しようとする反社会的組織の情報技術も高度化し、カード盗難、偽造、暗証番号解読による不正使用の被害が急増している。
【０００４】
その対策として、カード等に記載する情報の暗号化や指紋、虹彩模様等のバイオメトリクス情報を用いたバイオメトリクス認証等の技術が開発されている。
【０００５】
例えば、特許文献１には、磁気記録されたＩＤ情報とは異なる、ホログラム等の形態でセキュリティ情報を保持するようにされたＩＣカードが開示されている。
【０００６】
又、特許文献２には、ＩＣカードにバイオメトリクス認証情報を送信して照合を行なう認証システムが開示されている。
【０００７】
【特許文献１】特許第３４７５３０４号公報
【特許文献２】特開２００１−６７３９９号公報
【発明の開示】
【発明が解決しようとする課題】
【０００８】
上記特許文献１のＩＣカードは、セキュリティ情報を符号化した画像をホログラムとしてＩＣカードに貼り付けたものであり、この符号化方式が盗まれたときは、ホログラムから簡単にセキュリティ情報が抽出されてしまうという問題点がある。
【０００９】
又、特許文献２のＩＣカードの場合も、データ符号化のアルゴリズムが認識されてしまうと、ＩＣカードから認証情報が抽出され得るという問題点がある。
【００１０】
更に、上記のようなＩＤカードにおける認証用システムは、高度な暗号化技術を用いることによって安全性を向上させることができるが、他方、システム運営に必要な情報処理量やそのためのインフラストラクチャが大規模となり、利便性が低下してしまうというトレードオフが発生する。
【００１１】
この発明は、上記問題点に鑑みてなされたものであって、システムの規模や情報処理量を従来と比較して大幅に変更することなくセキュリティレベルを容易に変更できると共に、認証情報の抽出を非常に困難とした光情報記録媒体、個人認証方法及び個人認証システムを提供することを目的とする。
【課題を解決するための手段】
【００１２】
本発明者は、鋭意研究の結果、ホログラフィック記録部を有するＩＣカード等の光情報記録媒体に、参照光及び物体光により情報を記録する際に、参照光を、利用者のバイオメトリクス情報に基づく記録用暗号化認証情報により空間光変調し、再生時には、利用者から直接バイオメトリクス情報を取得して、これにより得られた照合用暗号化認証情報により再生用参照光を空間光変調して、そのときの再生情報から、真正な利用者か否かを照合するシステムによって、認証情報の抽出が非常に困難であり、且つシステムの規模等を大幅に変更することなくセキュリティレベルを容易に変更できることが分かった。
【００１３】
即ち、以下の本発明により上記目的を達成することができる。
【００１４】
（１）ホログラフィック記録部を有する光情報記録媒体の該ホログラフィック記録部に、記録すべき情報に応じて空間光変調された物体光及び参照光を照射して、その干渉縞により情報を記録し、且つ、該干渉縞に再生用参照光を照射して物体光を再生することにより、利用者の認証をするための個人認証方法であって、前記情報の記録の際に、前記利用者のバイオメトリクス情報に基づく記録用暗号化認証情報により、前記参照光を空間光変調し、再生時には、前記利用者から直接取得したバイオメトリクス情報に基づく照合用暗号化認証情報により、前記再生用参照光を空間光変調することを特徴とする個人認証方法。
【００１５】
（２）前記バイオメトリクス情報を予め決められた符号化方式により画像化することによって、前記記録用暗号化認証情報及び照合用暗号化認証情報を形成し、この画像を、参照光及び再生用参照光の変調パターンとすることを特徴とする（１）に記載の個人認証方法。
【００１６】
（３）前記符号化方式は、バイオメトリクス情報を表示するオリジナル画像を、複数、且つ、同数の画素からなる複数の画素ブロックに分割し、且つ、各画素ブロックにおけるＯＮ画素又はＯＦＦ画素の数を検出する過程と、前記各画素ブロックにおける画素を、前記検出された数に応じて、ＯＮ画素又はＯＦＦ画素の数毎に予め設定された変換用画素パターンに変換し、前記記録用暗号化認証情報及び照合用暗号化認証情報を表わすビットマップ画像とする過程と、からなることを特徴とする（２）に記載の個人認証方法。
【００１７】
（４）前記画素ブロックを、６以上の偶数個の画素から構成し、前記変換用画素パターンは、ＯＮ画素とＯＦＦ画素が同数となるように設定されたことを特徴とする（３）に記載の個人認証方法。
【００１８】
（５）前記参照光及び再生用参照光を位相空間光変調することを特徴とする（１）乃至（４）のいずれかに記載の個人認証方法。
【００１９】
（６）ホログラフィック記録部を有してなり、該ホログラフィック記録部には、利用者のバイオメトリクス情報に基づく記録用暗号化認証情報により空間光変調された参照光及び記録すべき情報に応じて空間光変調された物体光の照射時の干渉縞によるホログラムが形成されている光情報記録媒体と、前記利用者から直接に、バイオメトリクス情報を取得可能とされた生体情報センサーと、この生体情報センサーにより取得されたバイオメトリクス情報を照合用暗号化認証情報とする情報処理装置と、記録時における参照光と同様の再生用参照光を前記ホログラフィック記録部に照射して、発生する回折光から、前記記録された情報を再生する再生光学系と、前記再生用参照光を、前記照合用暗号化認証情報により変調する空間光変調器と、前記再生光学系により再生された前記情報に基づいて、前記利用者が正しいか否かを照合すると共に、照合結果により利用者を許容又は拒絶する信号を出力する演算装置と、を有してなる個人認証システム。
【００２０】
（７）前記演算装置からの許容又は拒絶の信号により、利用者を許容又は拒絶するハードウェアを有してなることを特徴とする（６）に記載の個人認証システム。
【００２１】
（８）前記生体情報センサーと、情報処理装置と、再生光学系と、空間光変調器と、をクライアントサーバ側に設けると共に、前記演算装置をホストサーバ側に設け、これらクライアントサーバ及びホストサーバを回線により接続し、クライアントサーバからは、前記再生された個人認証情報を出力し、ホストサーバからは、前記許容又は拒絶の信号を出力するようにされたことを特徴とする（６）又は（７）に記載の個人認証システム。
【００２２】
（９）前記記録用暗号化情報及び前記照合用暗号化情報は、前記バイオメトリクス情報を、予め決められた符号化方式により画像化してなる変調パターンであることを特徴とする（６）乃至（８）のいずれかに記載の個人認証システム。
【００２３】
（１０）前記記録用暗号化情報及び前記照合用暗号化情報は、前記バイオメトリクス情報を表示するオリジナル画像を、複数、且つ、同数の画素からなる複数の画素ブロックに分割し、各画素ブロックにおけるＯＮ画素又はＯＦＦ画素の数を検出し、前記画素ブロック毎に、前記検出された数に応じて、ＯＮ画素又はＯＦＦ画素の数毎に予め設定された変換用画素パターンに変換して形成されたビットマップ画像であることを特徴とする（９）に記載の個人認証システム。
【００２４】
（１１）前記画素ブロックを、６以上の偶数個の画素から構成し、前記変換用画素パターンは、ＯＮ画素とＯＦＦ画素が同数となるように設定されたことを特徴とする（１０）に記載の個人認証システム。
【００２５】
（１２）前記ホログラムは、物体光と位相空間光変調された参照光との干渉縞であることを特徴とする（６）乃至（１１）のいずれかに記載の個人認証システム。
【００２６】
（１３）ホログラフィック記録部を有してなり、該ホログラフィック記録部には、利用者のバイオメトリクス情報に基づく記録用暗号化認証情報により空間光変調された参照光及び記録すべき情報に基づいて空間光変調された物体光の照射時の干渉縞によるホログラムが形成されていることを特徴とする光情報記録媒体。
【００２７】
（１４）前記記録用暗号化情報は、前記バイオメトリクス情報を、予め決められた符号化方式により画像化してなる変調パターンであることを特徴とする（１３）に記載の光情報記録媒体。
【００２８】
（１５）前記記録用暗号化情報は、前記バイオメトリクス情報を表示するオリジナル画像を、複数、且つ、同数の画素からなる複数の画素ブロックに分割し、各画素ブロックにおけるＯＮ画素又はＯＦＦ画素の数を検出し、前記画素ブロック毎に、前記検出された数に応じて、ＯＮ画素又はＯＦＦ画素の数毎に予め設定された変換用画素パターンに変換して形成されたビットマップ画像であることを特徴とする（１４）に記載の光情報記録媒体。
【００２９】
（１６）前記画素ブロックを、６以上の偶数個の画素から構成し、前記変換用画素パターンは、ＯＮ画素とＯＦＦ画素が同数となるように設定されたことを特徴とする（１５）に記載の光情報記録媒体。
【００３０】
（１７）前記ホログラムは、物体光と位相空間光変調された参照光との干渉縞であることを特徴とする（１３）乃至（１６）のいずれかに記載の光情報記録媒体。
【発明の効果】
【００３１】
本発明においては、ホログラムとして個人認証情報を記録、再生する際に、使用者のバイオメトリクス情報を暗号化認証情報として、この情報に基づいて記録時及び再生時の参照光を空間光変調する構成であるので、第三者による認証情報の抽出が非常に困難であると共に、システムの規模等を従来と比較して大幅に変更することなくセキュリティレベルを容易に変更できるという効果を有する。
【発明を実施するための最良の形態】
【００３２】
光情報記録媒体のホログラフィック記録部に、物体光と参照光を照射する際に、利用者のバイオメトリクス情報に基づく記録用暗号化認証情報により、前記参照光を空間光変調し、再生時には、前記利用者から直接取得したバイオメトリクス情報に基づく照合用暗号化認証情報により、再生用参照光を空間光変調し、ホログラムから発生した回折光により利用者が真正か否かを判断し、バイオメトリクス情報は、予め決められた符号化方式により画像化され、記録用暗号化認証情報及び照合用暗号化認証情報とされるようにして、上記目的を達成する。
【実施例１】
【００３３】
次に、本発明の実施例１に係る個人認証システムについて説明する。
【００３４】
図１に示されるように、個人認証システム１０は、例えばＩＣカードのようなホログラム形成可能なホログラフィック記録部１３を有する光情報記録媒体１２と、利用者から直接、指紋、虹彩模様、声紋、静脈パターン等のバイオメトリクス情報を取得可能とされた生体情報センサー１４と、この生体情報センサー１４により取得されたバイオメトリクス情報を照合用暗号化認証情報とする情報処理装置１６と、前記ホログラフィック記録部１３に再生用参照光を照射して、発生する回折光から記録された情報を再生する再生光学系１８と、前記再生用参照光を、前記照合用暗号化認証情報により変調する位相空間光変調器２８（図３参照）と、前記再生光学系１８（図３参照）により再生された前記情報に基づいて、前記利用者が正しいか否かを照合すると共に、照合結果により利用者を許容又は拒絶する信号を出力する演算装置２２と、を有して構成されている。
【００３５】
図１の符号２３は前記カード状の光情報記録媒体１２を装着又は取外すためのローディング装置を示す。又、図１の符号２３Ａは光情報記録媒体１２を挿入するためのカード挿入口を示す。
【００３６】
前記光情報記録媒体１２は、図２に示されるように、カード基板１２Ａに埋め込まれた前記ホログラフィック記録部１３を有している。このホログラフィック記録部１３は、再生用参照光入射側からホログラム保護層１３Ａ、ホログラム情報層１３Ｂ及び吸収層１３Ｃを積層して構成されている。図２において、符号１２Ｂは印刷層、１２Ｃはコーティング層をそれぞれ示す。
【００３７】
前記再生光学系１８は、再生用参照光をホログラフィック記録部１３に照射するものであって、図３に示されるように、例えばレーザダイオードからなるレーザ光源２４と、このレーザ光源２４から出射したレーザ光のビーム径を拡大するためのビームエキスパンダ２６と、このビーム径が拡大されたレーザ光を位相変調する前記位相空間光変調器２８と、ミラー３０と、焦点が前記光情報記録媒体１２のホログラフィック記録部１３内あるいはその近傍に位置するように配置され、ミラー３０で反射された再生用参照光をフーリエ変換するためのフーリエレンズ３２と、フーリエレンズ３２側からホログラフィック記録部１３側へ順に配置された偏光ビームスプリッタ３４及び１／４波長板３６と、前記偏光ビームスプリッタ３４に対して、１／４波長板３６側から入射した光の側方への反射光路上に配置された結像レンズ３８及び撮像素子４０と、撮像素子４０により得られた信号を処理して、画像を再生する信号処理装置４１と、を備えて構成されている。
【００３８】
図４には、前記再生光学系１８のうち、偏光ビームスプリッタ３４、１／４波長板３６及び光情報記録媒体１２が示されている。
【００３９】
次に、前記光情報記録媒体１２のホログラフィック記録部１３に、利用者のバイオメトリクス情報に基づく記録用暗号化認証情報により参照光を空間光変調し、該参照光と物体光の照射によって干渉縞によるホログラムを形成する装置及び過程について説明する。
【００４０】
図５に示されるように、前記光情報記録媒体１２のホログラフィック記録部１３にホログラムを形成するための光情報記録装置４２は、レーザ光源４４と、このレーザ光源４４から出射されたレーザ光のビーム径を拡大するためのビームエキスパンダ４６と、ビーム径を拡大されたレーザ光を反射するミラー４８と、このミラー４８からの反射光が入射する偏光ビームスプリッタ５０と、この偏光ビームスプリッタ５０において反射されたレーザ光を記録用参照光としてホログラフィック記録部１３に導く参照光学系５２と、偏光ビームスプリッタ５０を透過したレーザ光を物体光として、前記記録用参照光とは反対側から、前記ホログラフィック記録部１３に導くための物体光学系５４と、前記記録用参照光を変調する位相空間光変調器５６と、前記物体光を変調する振幅空間光変調器５８と、利用者のバイオメトリクス情報に基づく記録用暗号化認証情報を位相空間光変調器５６に入力するための情報処理装置５７と、ホログラフィック記録部１３に記録すべき個人情報等の情報に基づいて変調する信号を振幅空間光変調器５８に出力する記録制御装置５９と、を備えて構成されている。図５の符号５２Ａは１／４波長板、５２Ｂ、５４Ａはフーリエレンズ、５２Ｃ、５４Ｂ、５４Ｃはミラーをそれぞれ示す。
【００４１】
次に、図６を参照して、前記位相空間光変調器５６において記録用参照光を変調する過程について説明する。
【００４２】
まず、生体情報センサー１４により、光情報記録媒体１２の正当な所有者（利用者）の指紋、虹彩模様、静脈パターン、声紋等のバイオメトリクス情報を取得し、インターフェイス１７で、例えば図６に示されるオリジナル画像６０を得たとする。
【００４３】
このオリジナル画像６０を、情報処理装置５７において、符号６２で示される変換用画素パターンにより４個の画素からなる画素ブロック毎に変換して、符号６４で示される記録用暗号化認証情報としてのビットマップ画像とする。
【００４４】
前記変換用画素バターン６２による変換について更に詳細に説明すると、この変換用画素パターン６２は、オリジナル画像６０における４個の画素からなる画素ブロック内での、図において白色で示されるＯＮ画素の数の０、１、２、３又は４に対応して、それぞれ予め設定されている。
【００４５】
従って、例えばオリジナル画像６０における左上隅の４個の画素からなる画素ブロックは、ＯＮ画素が２個であるので、変換用画素パターン６２において「２」と示された画素パターンに置き換えられる。
【００４６】
この結果、オリジナル画像６０は、ビットマップ画像６４に変換される。更に、情報処理装置５７により、前記光情報記録装置４２における位相空間光変調器５６では、記録用参照光がビットマップ画像６４（記録用暗号化情報）により位相変調されて、この状態で、記録すべき情報が載せられた物体光と共に、ホログラフィック記録部１３に照射されて、ここに干渉縞によるホログラムが形成される。
【００４７】
前記情報処理装置１６においても、前記光情報記録装置４２における記録時と同一の変換用画素パターン６２を用いて、生体情報センサー１４から得られたオリジナル画像を変換して、照合用暗号化情報としてのビットマップ画像を得るように構成されている。
【００４８】
次に光情報記録媒体１２の利用者の個人認証をする過程について説明する。
【００４９】
まず、生体情報センサー１４により、前記記録時におけると同様のバイオメトリクス情報を利用者から直接取得し、これを情報処理装置１６において前記と同様のオリジナル画像とし、更に、変換用画素パターン６２によって該オリジナル画像を変換し、前記と同様のビットマップ画像を形成する。
【００５０】
次に、情報処理装置１６により、前記ビットマップ画像に基づいて、位相空間光変調器２８により、再生用参照光を位相変調して、前記偏光ビームスプリッタ３４に入射させる。
【００５１】
偏光ビームスプリッタ３４に入射した再生用参照光は１／４波長板３６を経て、ホログラフィック記録部１３に入射し、且つここで逆向きの回折光を発生させる。回折光は、１／４波長板３６を経て、偏光ビームスプリッタ３４で反射されてから、結像レンズ３８を経て、前記撮像素子４０に入射し、情報処理装置１６で、記録時の物体光に相当する物体光が再生される。
【００５２】
演算装置２２では、再生が不完全であれば、認証不可として判断され、再生ができれば、利用者は真正の利用者として認証され、その信号がインターフェイス１７を介して外部に出力される。
【００５３】
なお、前記ビットマップ画像６４の情報が不法に第三者に取得されたとしても、このビットマップ画像６４から、オリジナル画像６０を特定することができない。
【００５４】
即ち、オリジナル画像６０は、変換用画素パターン６２によって必ず特定のビットマップ画像６４に変換されるが、このビットマップ画像６４が与えられ、且つ変換用画素パターン６２による符号化方式がわかったとしても、変換用画素パターン６２によって一義的にオリジナル画像６０に戻ることができない。これは、「１：多」の画像変換が成り立ち、ホログラムから生体情報を抽出できないことを意味している。
【００５５】
ホログラムを再生する際には、記録時に位相空間光変調器５６に表示させた画像を再び位相空間光変調器２８に表示させることが必要であるが、上記のように、指紋や虹彩等のバイオメトリクス情報を予め決められた符号化方式によって画像化し、この画像を再生用参照光の変調パターンとして利用することによってのみ可能である。
【００５６】
従って、バイオメトリクス情報、符号化方式、ホログラムの３つのうちのいずれが欠けても正常な再生ができないため、データの安全性が高い。なお、上記実施例１において、記録時及び再生時に位相空間光変調器５６、２８が用いられているが、これは、振幅空間光変調器であってもよい。即ち、参照光を振幅変調したとしても、ホログラムのみから元のバイオメトリクス情報を復元することが困難である。
【００５７】
なお、位相空間光変調を用いた場合は、元のバイオメトリクス情報を復元することは不可能となる。何故なら、光の位相情報は、単独で観測できる物理量でなく、可干渉な光との干渉によって初めて可視化できるものである上に、同じ干渉パターンを照射する位相変調パターンは無数にあるからである。
【００５８】
参照光を振幅変調する場合であっても、これを可視化するためには、記録されている情報とその符号化方法を知る必要があり、容易ではない。更に、振幅変調の方法によって生体情報をビットマップ画像に変換する際に、前述のような「１：多」の対応関係とすることで、実際上不可逆な変換とすることができる。
【実施例２】
【００５９】
上記実施例１において、画像変換の際の画像ブロックは、４個の画素から構成されているが、本発明はこれに限定されるものでなく、例えば、図７に示されるように、６個の画素を１つの画素ブロックとしてもよい。また、８以上の偶数個の画素を１つの画素ブロックとしてもよい。
【００６０】
実施例２では、オリジナル画像６０における６個毎の画素ブロック内でのＯＮ画素数に応じて、符号６３で示される変換用画素パターンに基づいて符号化して、符号６５で示されるビットマップ画像を形成するものである。
【００６１】
前記変換用画素パターン６３は、ＯＮ画素とＯＦＦ画素が同数となるように設定されていて、ホログラフィック記録再生において、記録用参照光及び再生用参照光の光量の均一性を充足することができる。
【００６２】
何故なら、ビットマップ画像６５中のＯＮ画素数、即ち参照光全体の光量が変化すると、参照光と信号光（物体光）による干渉縞コントラストが低下し、良好な記録を妨げるからである。良好な記録再生を行なうために必要なコントラスト、即ちＯＮ画素数のばらつき許容量は、光学系や記録媒体の設計、必要な記録密度やデータ転送レートに依存する。
【００６３】
この実施例２では、変換用画素パターン６３はＯＮ画素及びＯＦＦ画素が３個ずつで構成されているので、変換されたビットマップ画像６５は、オリジナル画像６０のＯＮ画素の数に拘わらず、一定のＯＮ画素数（全画素の５０％）を含むことになる。
【００６４】
なお、画素ブロックは、６個の画素から構成されているが、これは、６以上の偶数であればよい。画素ブロックサイズが大きいほど、バイオメトリクス情報（オリジナル画像）の秘匿性が向上する。
【実施例３】
【００６５】
次に、図８に示される本発明の実施例３について説明する。
【００６６】
この実施例３に係る個人認証システム７０は、前記実施例１におけると同様の生体情報センサー１４、情報処理装置１６、再生光学系１８、空間光変調器２０、を含むクライアントサーバ７２と、このクライアントサーバ７２に対して、回線７４を介して接続されたホストサーバ７６と、から構成されている。
【００６７】
前記ホストサーバ７６には、前記再生光学系１８により再生された情報に基づいて、利用者が正しいか否かを照合すると共に、照合結果により利用者を許容又は拒絶する信号を出力する演算装置７８及びデータベース７９を備えている。
【００６８】
又、前記クライアントサーバ７２側には、前記演算装置７８からの許容又は拒絶の信号により、利用者を許容又は拒絶するハードウェア８０を備えている。このハードウェア８０は、例えば入退出管理を行なうゲートや銀行の現金払出装置等である。
【００６９】
この個人認証システム７０における、利用者のバイオメトリクス情報からオリジナル画像６０を取得し、変換用画素パターンによってビットマップ画像を形成する過程については、前記実施例１におけると同様である。
【００７０】
又、個人認証システム７０では、基本的構成は実施例１の個人認証システム１０と同一であるが、クライアントサーバ７２側において再生画像として再生光学系１８に取り込まれたＩＤ情報は、再び、情報処理装置１６へ送られ、エラー訂正・復号化等の信号処理を経て、デジタル情報として、前記回線７４によってホストサーバ７６へ送られ、その演算装置７８において、利用者の照合が行なわれる。
【００７１】
その結果は、演算装置７８から回線７４を経て出力され、利用者が許容された場合には、前記ハードウェア８０が動作され、拒絶された場合にはインターフェイスを通して通知が行なわれる。
【００７２】
ここで、一般的に、情報漏洩の危険性が高いのは、回線７４のようなネットワーク回線であるが、この回線７４で通信されるのは、前述のように、ＩＤ情報や動作指示命令のみであり、少なくとも認証情報が盗聴される可能性はない。
【図面の簡単な説明】
【００７３】
【図１】本発明の実施例１に係る個人認証システムを示すブロック図
【図２】同個人認証システムにおいて用いられる光情報記録媒体を模式的に示す断面図
【図３】同実施例１において、光情報記録媒体のホログラムを再生且つ認証するための再生光学系を示す光学系統図
【図４】同再生光学系の一部と光情報記録媒体を示す斜視図
【図５】前記光情報記録媒体にホログラムを形成するための光情報記録装置を示す光学系統図
【図６】同光情報記録装置及び再生光学系の空間光変調器で得られたオリジナル画像を符号化してビットマップ画像を形成する過程を模式的に示す平面図
【図７】実施例２において、オリジナル画像を符号化してビットマップ画像を形成する過程を模式的に示す平面図
【図８】実施例３に係る個人認証システムを示すブロック図
【符号の説明】
【００７４】
１０、７０…個人認証システム
１２…光情報記録媒体
１３…ホログラフィック記録部
１４…生体情報センサー
１６…情報処理装置
１８…再生光学系
２２、７８…演算装置
２８、５６…位相空間光変調器
４０…撮像素子
４２…光情報記録装置
５７…情報処理装置
５８…振幅空間光変調器
５９…記録制御装置
６０…オリジナル画像
６２、６３…変換用画素パターン
６４、６５…ビットマップ画像
７２…クライアントサーバ
７４…回線
７６…ホストサーバ
８０…ハードウェア
【図１】
2005222151.tif 000003
【図２】
2005222151.tif 000004
【図３】
2005222151.tif 000005
【図４】
2005222151.tif 000006
【図５】
2005222151.tif 000007
【図６】
2005222151.tif 000008
【図７】
2005222151.tif 000009
【図８】
2005222151.tif 000010